(57)【要約】  【構成】  差口２４における先端側のリブ１８間にゴム輪２０を装着し、ゴム輪２０よりも奥側のリブ１８間に屈曲防止リング２２を装着すると、ゴム輪２０の外周部がリブ１８からはみ出すとともに、屈曲防止リング２２の外周部がリブ１８の外径と受口１４の内径との差の１／２に相当する高さでリブ１８からはみ出す。したがって、差口２４を受口１４に差し込むと、受口１４内において差口２４がゴム輪２０および屈曲防止リング２２の２箇所で支持される。  【効果】  管路１０の屈曲を効果的に防止できる。【選択図】  図１
2008280845.tif 000002
【特許請求の範囲】
【請求項１】
受口、前記受口に挿入されるかつ外面に複数の周方向リブを有する差口、および前記差口のリブ間に装着されるゴム輪を備えるゴム輪接合部の接続方法であって、
前記リブの外径と前記受口の内径との差の半分の高さとほぼ同じ高さで前記リブからはみ出す高さを有する、かつ前記ゴム輪よりも硬い材料で形成される屈曲防止リングを用意し、
前記屈曲防止リングを前記差口の前記ゴム輪よりも奥側のリブ間に装着し、そして
前記屈曲防止リングの外面が前記受口の内面に接触する位置まで、前記差口を前記受口内に挿入する、ゴム輪接合部の接続方法。
【請求項２】
受口、前記受口に挿入されるかつ外面に複数の周方向リブを有する差口、および前記差口のリブ間に装着されるゴム輪を備えるゴム輪接合部の接続方法であって、
前記リブの外径と前記受口の内径との差の半分の高さとほぼ同じ高さで前記リブからはみ出す高さを有する、かつ前記ゴム輪よりも硬い材料で形成される屈曲防止リングを用意し、
前記屈曲防止リングを前記差口の前記ゴム輪よりも奥側に１つのリブ間を隔てたリブ間に装着し、そして
前記屈曲防止リングの外面が前記受口の内面に接触する位置まで、前記差口を前記受口内に挿入する、ゴム輪接合部の接続方法。
【請求項３】
請求項１または２記載のゴム輪接合部の接続方法によって接続される、リブ付管。
【請求項４】
請求項１または２記載のゴム輪接合部の接続方法によって構築された、下水管路。
【発明の詳細な説明】
【技術分野】
【０００１】
この発明は、ゴム輪接合部の接続方法、リブ付管および下水管路に関し、特にたとえば、管路の構築時における蛇行を防止できる、ゴム輪接合部の接続方法、リブ付管および下水管路に関する。
【背景技術】
【０００２】
一般に、下水管路においては、管路内に汚水が滞留するのを防止する等のために、管路を所定勾配で傾斜させて真っ直ぐに配管することが望ましいとされている。
【発明の開示】
【発明が解決しようとする課題】
【０００３】
しかしながら、図７に示すように、ゴム輪接合継手１を用いた場合には、その接合部において管路２の動きがある程度許容されるため、熟練施工技術者の技能をもってしても、管路２を真っ直ぐに配管するのが困難であり、各接合部において管路２が角度αだけ屈曲して蛇行するおそれがあった。そして、管路２の蛇行により流下方向へ高くなる勾配（逆勾配）が生じた場合には、その部分において、汚水の滞留を生じるおそれがあった。
【０００４】
この問題を緩和する一手段として、管の有効長を長くしてゴム輪接合部間の距離を長くすることが考えられるが、管路の途中に分岐継手を設ける場合のように、構造上ゴム輪接合部間の距離を長くすることができない場合もあるため、有効な手段とは言えなかった。
【０００５】
それゆえに、この発明の主たる目的は、管路の蛇行をより効果的に防止できる、ゴム輪接合部の接続方法、リブ付管および下水管路を提供することである。
【課題を解決するための手段】
【０００６】
請求項１の発明は、受口、受口に挿入されるかつ外面に複数の周方向リブを有する差口、および差口のリブ間に装着されるゴム輪を備えるゴム輪接合部の接続方法であって、リブの外径と受口の内径との差の半分の高さとほぼ同じ高さでリブからはみ出す高さを有する、かつゴム輪よりも硬い材料で形成される屈曲防止リングを用意し、屈曲防止リングを差口のゴム輪よりも奥側のリブ間に装着し、そして屈曲防止リングの外面が受口の内面に接触する位置まで、差口を受口内に挿入する、ゴム輪接合部の接続方法である。
【０００７】
請求項２の発明は、受口、受口に挿入されるかつ外面に複数の周方向リブを有する差口、および差口のリブ間に装着されるゴム輪を備えるゴム輪接合部の接続方法であって、リブの外径と受口の内径との差の半分の高さとほぼ同じ高さでリブからはみ出す高さを有する、かつゴム輪よりも硬い材料で形成される屈曲防止リングを用意し、屈曲防止リングを差口のゴム輪よりも奥側に１つのリブ間を隔てたリブ間に装着し、そして屈曲防止リングの外面が受口の内面に接触する位置まで、差口を受口内に挿入する、ゴム輪接合部の接続方法である。
【０００８】
請求項３の発明は、請求項１または２記載のゴム輪接合部の接続方法によって接続される、リブ付管である。
【０００９】
請求項４の発明は、請求項１または２記載のゴム輪接合部の接続方法によって構築された、下水管路である。
【００１０】
差口における先端側のリブ間にゴム輪を装着し、ゴム輪よりも奥側のリブ間に屈曲防止リングを装着すると、ゴム輪の外周部がリブからはみ出すとともに、屈曲防止リングの外周部がリブの外径と受口の内径との差に応じた高さでリブからはみ出す。したがって、差口を受口に差し込むと、差口の外面と受口の内面との間でゴム輪が圧縮されるとともに、ゴム輪よりも硬い屈曲防止リングの外周部が受口の内周面に接する。つまり、受口内において差口がゴム輪および屈曲防止リングの２箇所で支持され、屈曲防止リングによって差口の外面と受口の内面との隙間が埋められる。
【発明の効果】
【００１１】
この発明によれば、受口内における差口の径方向への変位を屈曲防止リングにより抑制できるので、ゴム輪を支点とした管路の屈曲を防止できる。したがって、ゴム輪接合部間の距離が短い場合でも管路の蛇行を効果的に防止できる。
【００１２】
この発明の上述の目的，その他の目的，特徴および利点は、図面を参照して行う以下の実施例の詳細な説明から一層明らかとなろう。
【発明を実施するための最良の形態】
【００１３】
図１に示すこの実施例の下水管路１０は、地中において所定の流下勾配を確保しながら真っ直ぐに配管されるものであり、複数のリブ付管１２を互いに接合することにより構築される。
【００１４】
リブ付管１２は、一端に受口１４を有する管状の本体１６を含み、本体１６の外面には、複数の周方向リブ１８が管軸方向の全長にわたって互いに間隔を隔てて形成される。そして、本体１６の他端側のリブ１８間には、ゴム輪２０が装着され、ゴム輪２０より奥側のリブ１８間には、屈曲防止リング２２が装着される。これによって、本体１６の他端が他のリブ付管１２の受口１４に差し込まれる差口２４とされる。
【００１５】
ゴム輪２０は、差口２４の外面と受口１４の内面との間で圧縮されて、これら両面間の隙間をシールするものである。したがって、ゴム輪２０の断面における高さＨ１は、図３に示すように、受口１４の内径Ｄ１と差口２４の外径Ｄ２との差（Ｄ１−Ｄ２）の１／２よりも高く設定される（Ｈ１＞（Ｄ１−Ｄ２）／２）。なお、この高さＨ１は、ゴム輪２０の断面形状等に応じて最適な圧縮率を確保できるように、ゴム輪２０の種類ごとに個別に設定されることが望ましい。
【００１６】
屈曲防止リング２２は、差口２４の外面と受口１４の内面との隙間を埋めることによって管路１０の屈曲を防止するものであり、図２に示すように、周方向の一部が欠損されたリングすなわちＣリングにより構成される。
【００１７】
屈曲防止リング２２の形成材料としては、ゴム輪２０よりも硬い材料、たとえば合成樹脂（塩化ビニル，ポリアセタール，ポリプロピレン等）または金属（ステンレス，青銅等）等が用いられる。ゴム輪２０よりも柔らかい材料を用いたのでは、屈曲防止リング２２が不所望に変形されるため、受口１４内における差口２４の動き（屈曲）を抑制できないからである。
【００１８】
また、屈曲防止リング２２の寸法は、差口２４の寸法等に応じてその動き（屈曲）を抑制し得るように設定される。たとえば、リブ１８間において差口２４の外面が平坦であれば、屈曲防止リング２２の断面における高さＨ２は、図３に示すように、受口１４の内径Ｄ１と差口２４の外径Ｄ２との差（Ｄ１−Ｄ２）の１／２とほぼ同じ高さに設定される（Ｈ２≒（Ｄ１−Ｄ２）／２）。一方、差口２４の外面に突起等が形成されている場合には、その高さを差し引いて屈曲防止リング２２の高さＨ２が設定される。いずれの場合でも、屈曲防止リング２２の高さＨ２は、屈曲防止リング２２の外周部が受口１４の内径Ｄ１とリブ１８の外径Ｄ３との差（Ｄ１−Ｄ３）の１／２に相当する高さでリブ１８からはみ出すように設定される。高さＨ２がこれよりも高ければ、屈曲防止リング２２を受口１４内に挿入することができないし、これよりも低ければ、屈曲防止リング２２の外面と受口１４の内面との間に隙間が生じて差口２４の動きを抑制できないからである。
【００１９】
下水管路１０を構築する際には、まず、図３に示すように、差口２４の先端側のリブ１８間にゴム輪２０を管軸方向から装着するとともに、ゴム輪２０よりも奥側のリブ１８間に屈曲防止リング２２を装着する。屈曲防止リング２２を装着する際には、屈曲防止リング（Ｃリング）２２の周方向両端部を拡径方向に弾性変形させて、管径方向または管軸方向から差口２４の外面に嵌合する。そして、この差口２４を受口１４内に挿入する。すると、図１（Ｂ）に示すように、差口２４の外面と受口１４の内面とによってゴム輪２０が圧縮され、屈曲防止リング２２の外周面が受口１４の内面に接触される。つまり、受口１４内において差口２４がゴム輪２０および屈曲防止リング２２の２箇所で支持される。
【００２０】
したがって、この実施例によれば、受口１４内における差口２４の径方向への変位を屈曲防止リング２２により抑制でき、ゴム輪２０を支点とした管路の屈曲（蛇行）を防止できる。また、ゴム輪２０よりも受口１４の開口側に屈曲防止リング２２を配置しているので、砂等が受口１４の奥へ入り込むのを屈曲防止リング２２により阻止できる。
【００２１】
なお、上述の実施例では、屈曲防止リング２２の高さを全周にわたって一定に設定しているが、たとえば図４に示すように、屈曲防止リング２２の内周部（図４（Ａ））または外周部（図４（Ｂ））に少なくとも１つ（図４では３つ）の肉盗み部２６を形成し、屈曲防止リング２２の厚さを部分的に薄くしてもよい。この場合には、屈曲防止リング２２をより簡単に変形させることができるので、装着時の作業性を向上できる。なお、肉盗み部２６の数や長さは適宜変更されてもよい。
【００２２】
また、屈曲防止リング２２に代えて、図５（Ａ），（Ｂ）または（Ｃ）に示すような屈曲防止リング２８，３０または３２を用いてもよい。
【００２３】
屈曲防止リング２８（図５（Ａ））は、２つ割りリングの一方片に突起２８ａを形成し、他方片に孔２８ｂを形成し、突起２８ａと孔２８ｂとを嵌合して両片を接合するものである。屈曲防止リング３０（図５（Ｂ））は、２つ割りリングの一方片に第１係止部３０ａを形成し、他方片に第２係止部３０ｂを形成し、第１係止部３０ａと第２係止部３０ｂとを係合することによって両片を接合するものである。そして、屈曲防止リング３２（図５（Ｃ））は、複数の分割片３２ａを針金，ゴムまたは紐等のような線材３２ｂで結合し、各分割片３２ａを差口２４の外面に装着した後に、線材３２ｂの両端を結ぶようにしたものである。ただし、線材３２ｂとしてゴムを用いる場合には、これを予め環状に形成してもよい。これらの屈曲防止リング２８〜３２によっても、先の屈曲防止リング２２と同様に、管路１０の屈曲を効果的に防止できる。
【００２４】
さらに、上述の実施例では、この発明を複数のリブ付管１２によって構築される下水管路１０に適用した場合を示したが、この発明は、図６に示すような分岐継手３４を有する下水管路３６や、その他、ゴム輪接合部を有する任意の下水管路に対して適用可能である。
【図面の簡単な説明】
【００２５】
【図１】この発明の一実施例の下水管路を示す図解図である。
【図２】図１実施例で用いられる屈曲防止リングを示す図解図である。
【図３】図１実施例の各構成部材の寸法関係を示す図解図である。
【図４】屈曲防止リングの変形例を示す図解図である。
【図５】屈曲防止リングの変形例を示す図解図である。
【図６】下水管路の変形例を示す図解図である。
【図７】従来技術を示す図解図である。
【符号の説明】
【００２６】
１０  …下水管路
１２  …リブ付管
１４  …受口
１８  …リブ
２０  …ゴム輪
２２  …屈曲防止リング
２４  …差口
【図１】
2008280845.tif 000003
【図２】
2008280845.tif 000004
【図３】
2008280845.tif 000005
【図４】
2008280845.tif 000006
【図５】
2008280845.tif 000007
【図６】
2008280845.tif 000008
【図７】
2008280845.tif 000009